(57)【要約】【課題】少ない光源によっても十分に商品見本缶を見立たせることを可能にした、自動販売機における商品見本展示装置を提供すること。【解決手段】後方側が開放された商品見本収納空間２５を内部に有するフロント扉本体２４と、商品見本収納空間２５を後側から閉鎖可能な配置でフロント扉本体２４に回動自在に連結された後方側扉２６と、を有する自動販売機のフロント扉２３における前記商品見本収納空間２５内に、商品見本を展示するための自動販売機における商品見本展示装置であって、後方側扉２６との間に僅かな隙間８を維持しつつ後方側扉２６に対向する配置で商品見本収納空間２５内に備えられた透光性の商品見本装着パネル２と、商品見本装着パネル２と後方側扉２６との間に配設した光源７と、商品見本装着パネル２に着脱自在に装着された透光性の商品見本５と、を具備したことを特徴とする。【選択図】図１
2010152689.tif 000002
【特許請求の範囲】
【請求項１】
後方側が開放された商品見本収納空間（２５）を内部に有するフロント扉本体（２４）と、前記商品見本収納空間（２５）を後側から閉鎖可能な配置で前記フロント扉本体（２４）に回動自在に連結された後方側扉（２６）と、を有する自動販売機のフロント扉（２３）における前記商品見本収納空間（２５）内に、商品見本を展示するための自動販売機における商品見本展示装置であって、
前記後方側扉（２６）との間に僅かな隙間（８）を維持しつつ前記後方側扉（２６）に対向する配置で前記商品見本収納空間（２５）内に備えられた透光性の商品見本装着パネル（２）と、
該商品見本装着パネル（２）と前記後方側扉（２６）との間に配設した光源と、
前記商品見本装着パネル（２）に着脱自在に装着された透光性の商品見本（５）と、を具備したことを特徴とする自動販売機における商品見本展示装置。
【請求項２】
該商品見本装着パネル（２）の左右側端部（２０２）を正面側に向けて変形させることで前記商品見本装着パネル（２）の左右側端部（２０２）の裏面側に上下方向に向けて形成した光源収納部（３）を形成し、該光源収納部（３）内に光源（７）を収納することで、前記商品見本装着パネル（２）と前記後方側扉（２６）との間に光源（７）を配設したことを特徴とする請求項１に記載の自動販売機における商品見本展示装置。
【請求項３】
前記商品見本装着パネル（２）と前記後方側扉（２６）との間（８）に、基板（１１０１）と該基板（１１０１）に配設した複数の光源部（１１０２）とを具備した光源（１１）を挿装することで、前記商品見本装着パネル（２）と前記後方側扉（２６）との間に光源（７）を配設したことを特徴とする請求項１に記載の自動販売機における商品見本展示装置。
【請求項４】
前記商品見本装着パネル（２）を着脱自在にして前記商品見本収納空間（２５）内に備えたことを特徴とする請求項１乃至請求項３のいずれかに記載の自動販売機における商品見本展示装置。
【請求項５】
前記商品見本装着パネル（２）に、１又は複数の凹凸状の模様あるいは文字等を形成したことを特徴とする請求項１乃至請求項４のいずれかに記載の自動販売機における商品見本展示装置。
【請求項６】
前記商品見本装着パネル（２）に着脱自在に装着したサンプルステージ（４）に商品見本（５）を着脱自在に装着することで前記商品見本（５）を前記商品見本装着パネル（２）に装着したことを特徴とする請求項１乃至請求項５のいずれかに記載の自動販売機における商品見本展示装置。
【請求項７】
商品見本装着パネル（２）に商品見本（５）を直接装着したことを特徴とする請求項１乃至請求項５のいずれかに記載の自動販売機における商品見本展示装置。
【発明の詳細な説明】
【技術分野】
【０００１】
本発明は自動販売機における商品見本展示装置に係り、より詳しくは、自動販売機において、少ない光源によっても十分に商品見本を見立たせることを可能にした商品見本展示装置に関する。
【背景技術】
【０００２】
自動販売機においては、販売している商品の内容を利用者に知らせるために、フロント扉の内部に商品の見本缶を展示している。
【０００３】
ここで、図１１及び図１２は自動販売機における商品の見本缶展示の方法を説明するための図であり、図１１は自動販売機の一部切欠斜視図、図１２は図１１における縦断側面図であり、図において３１が自動販売機である。そして、一般的に自動販売機３１は、開閉自在としたフロント扉３２を有しており、このフロント扉３２の内部に商品の見本缶を展示する構造となっている。
【０００４】
即ち、フロント扉３２は、商品見本収納空間３３が内部に形成されたフロント扉本体３４を有しており、このフロント扉本体３４は、商品見本収納空間３３に対向する部分が透明な窓部となっている。また、フロント扉本体３４には、商品見本収納空間３３を後側から閉鎖可能なように後方側扉３５が回動自在に装着されている。
【０００５】
そして、後方側扉３５には、側面形状を鉤状としたサンプルステージ３６が多段に亘って装着されており、このサンプルステージ３６の上面には孔が形成され、この孔の上方に、複数の商品見本缶３７が装着されている。
【０００６】
また、前記サンプルステージ３６における孔の下側、及び、商品見本収納空間の上部には蛍光灯による光源３８が装着され、これにより、光源３５を点灯することで、商品見本缶３７を浮き上がらすようにしている。なお、図において３９は各商品見本缶に対応してフロント扉本体に設けた商品選択ボタンである。
【０００７】
このように、従来は、商品見本収納空間の上部及びサンプルステージの下側に光源としての蛍光灯を配置していたために、サンプルステージの数が増加すると蛍光灯の数も増加し、それによりコスト高になるとともに、近年の省エネにも逆行することとなっていた。
【０００８】
しかしながら、単に蛍光灯の数を減らしたのでは、商品見本缶を有効に照らして目立たせることができなくなってしまうという問題点が指摘できる。
【特許文献１】特開２０００−１２３２３３号公報
【発明の開示】
【発明が解決しようとする課題】
【０００９】
そこで、本発明は、少ない光源によっても十分に商品見本缶を見立たせることを可能にした、自動販売機における商品見本展示装置を提供することを課題としている。
【課題を解決するための手段】
【００１０】
本発明の自動販売機における商品見本展示装置は、後方側が開放された商品見本収納空間を内部に有するフロント扉本体と、前記商品見本収納空間を後側から閉鎖可能な配置で前記フロント扉本体に回動自在に連結された後方側扉と、を有する自動販売機のフロント扉における前記商品見本収納空間内に商品見本を展示するための商品見本展示装置であって、
前記後方側扉との間に僅かな隙間を維持しつつ前記後方側扉に対向する配置で前記商品見本収納空間内に備えられた透光性の商品見本装着パネルと、
該商品見本装着パネルと前記後方側扉との間に配設した光源と、
前記商品見本装着パネルに着脱自在に装着された透光性の商品見本と、を具備したことを特徴としている。
【発明の効果】
【００１１】
本発明の自動販売機における商品見本展示装置では、フロント扉の後方側扉との間に僅かな隙間を維持しつつ後方側扉に対向する配置で、透光性の商品見本装着パネルを商品見本収納空間内に備えるとともに、この商品見本装着パネルと前記後方側扉との間に光源を配設して構成されている。そのために、光源からの光は、商品見本装着パネルの後方側から商品見本装着パネルを照射し、これにより、光源からの光は、商品見本装着パネルにより拡散されつつ商品見本を照らすことができる。
【００１２】
従って、本発明の自動販売機における商品見本展示装置を用いることによって、サンプルステージの数に左右されずに、商品見本を見立たせることが可能である。
【発明を実施するための最良の形態】
【００１３】
本発明の自動販売機における商品見本展示装置は、後方側が開放された商品見本収納空間を内部に有するフロント扉本体と、商品見本収納空間を後側から閉鎖可能な配置でフロント扉本体に回動自在に連結された後方側扉と、を有する自動販売機のフロント扉における前記商品見本収納空間内に商品見本を展示するために用いられるものであり、前記後方側扉との間に僅かな隙間を維持しつつ後方側扉に対向する配置で商品見本収納空間内に備えられる、透光性の商品見本装着パネルを有している。
【００１４】
そして、前記商品見本装着パネルと前記後方側扉との間には光源を配設しており、前記商品見本装着パネルには、着脱自在にして、透光性の商品見本が装着されている。
【００１５】
ここで、光源の配設方法としては、前記商品見本装着パネルの左右側端部を正面側に向けて変形させることで商品見本装着パネルの左右側端部の裏面側に上下方向に向けて光源収納部を形成し、この光源収納部内に上下方向に向けて蛍光灯等の光源を収納する方法が考えられる。
【００１６】
また、光源の他の配設方法としては、基板に、ＬＥＤ等の光源部を複数個装着して構成される光源を用いて、この光源を商品見本装着パネルと後方側扉との間に挿装する方法が考えられる。
【００１７】
更に、前記商品見本装着パネルは、ピン部材等により後方側扉に装着するとよく、その際には、着脱自在にしてもよい。
【００１８】
更にまた、前記商品見本装着パネルは、透光性の樹脂により成形するとよく、その際に、１又は複数の凹凸状の模様あるいは文字等を形成するとよく、それにより、肉厚を薄くした場合でも強度を出すことが可能となる。
【００１９】
また、商品見本装着パネルへの商品見本の装着方法に関しては、例えば、サンプルステージを商品見本装着パネルに着脱自在に装着し、このサンプルステージに形成した孔に商品見本を装着する方法や、あるいは、商品見本装着パネルに商品見本を直接装着する方法が考えられる。
【実施例１】
【００２０】
本発明の自動販売機における商品見本展示装置（以下単に「商品見本展示装置」という。）の実施例について図面を参照して説明すると、図１乃至図３は本実施例の商品見本展示装置を備えた自動販売機を示した図であり、飲料缶の自動販売機としている。
【００２１】
即ち、図１は自動販売機の一部を示した斜視図で、フロント扉を開いた状態を示しており、図２は、自動販売機の構造を平面から示した断面図、図３は、自動販売機の構造を側面から示した断面図である。
【００２２】
そして、図において２１が自動販売機であり、この自動販売機２１は、商品を収容する本体部２２と、この本体部２２に開閉自在に取り付けられたフロント扉２３を有している。
【００２３】
また、前記フロント扉２３は、後側が開放とされた箱状のフロント扉本体２４を有しており、このフロント扉本体２４の上方部分の内部は、商品見本缶を収納する商品見本収納空間２５とされている。
【００２４】
そして、この商品見本収納空間２５は、フロント扉本体２４に回動自在に装着された後方側扉２６により開閉自在に閉鎖されており、商品見本収納空間２５に対向する箇所は透明な窓部２７とされ、さらに、商品見本収納空間２５に配置された商品見本缶に対応して、フロント扉本体２４には、商品選択ボタン２８が設けられている。
【００２５】
そして、前記後方側扉２６に装着される形態で、前記商品見本収納空間２５に、本実施例の商品見本展示装置が備えられている。
【００２６】
即ち、図において１が本実施例の商品見本展示装置であり、本実施例の商品見本展示装置１は、商品見本缶を装着するための、商品見本装着パネルを有している。
【００２７】
ここで、前記商品見本装着パネルについて説明すると、図において２が商品見本装着パネルであり、また、図４が商品見本装着パネル２の斜視図であり、本実施例においてこの商品見本装着パネル２は、透光性の樹脂で構成されており、商品見本缶を装着するための平板状の装着面２０１を有している。
【００２８】
また、前記装着面２０１の左右側端部近傍２０２は、正面側に向けて略円弧状に湾曲させており、これにより、この湾曲させた部分の裏面側を、光源収納部３としている。
【００２９】
そして、前記光源収納部３内には、光源としての蛍光灯７を収納しており、従って、蛍光灯７は商品見本装着パネル２の左右側の裏面において、上下方向に向いて配置されている。
【００３０】
次に、図において４はサンプルステージ、５はサンプルステージ４上に装着した商品見本缶である。即ち、本実施例においては、前記商品見本装着パネル２の装着面２０１にサンプルステージ４を装着し、このサンプルステージ４に商品見本缶５を装着することで、商品見本装着パネル２に、商品見本缶５を装着している。
【００３１】
ここで、商品見本缶５、サンプルステージ４及び商品見本装着パネル２の関係を説明すると、図５は本実施例で採用するサンプルステージ４の斜視図であり、本実施例におけるサンプルステージ４では、２個の商品見本缶を装着可能としている。
【００３２】
即ち、本実施例におけるサンプルステージ４は、平板状の装着面４０１を有しており、この装着面４０１の下面の一部には、直交する下方向に向けてストッパー面４０２が連設され、更に、前記装着面４０１の左右側の後方側には、鉤状の係止部４０４が備えられている。
【００３３】
また、前記装着面４０１には２個の半円状の切り欠き４０３を形成しており、この半円状の切り欠き４０３には、上下方向に沿って半切りした、飲料缶を模した透光性の樹脂製の商品見本缶５が挿入固定されることとしている。
【００３４】
一方、図４に示されるように、前記商品見本装着パネル２における装着面２０１には、前記係止部４０４が挿入可能な係止孔２０３が多数個形成されており、この係止孔２０３に前記係止部４０４を挿入係止することで、商品見本装着パネル２の装着面２０１に多数のサンプルステージ４を装着可能としている。
【００３５】
従って、本実施例では、サンプルステージ４を前記商品見本装着パネル２における装着面２０１に装着するとともに、このサンプルステージ４に商品見本缶５を装着し、これにより、商品見本装着パネル２に商品見本缶５を着脱自在に装着することとしている。この状態を側断面で示した図が図６である。
【００３６】
但し、必ずしもサンプルステージ４を用いて商品見本缶５を商品見本装着パネル２に装着する必要はなく、例えば、図７に示すように、上下方向に沿って半切りした缶を模した透光性の商品見本缶５ｂに鉤状の係止部４０４ｂを形成し、この係止部４０４ｂを前記商品見本装着パネル２の装着面２０１に形成した前記係止孔２０３に挿入係止することで、商品見本装着パネル２の装着面２０１に商品見本缶５ｂを直接装着してもよい。
【００３７】
次に、このようにして構成される商品見本装着パネル２は、図２、図３に示されるように、前記装着面２０１を、前記後方側扉２６と並行になる配置で、かつ、装着面２０１と後方側扉２６との間に僅かな隙間８、具体的には２〜３ｃｍ程度の距離の隙間８をあけた状態にして、商品見本収納空間２５内に配設される。なお、本実施例においては、商品見本装着パネル２の左右側端部を、ピン部材６によって前記後方側扉２６に連結することで、商品見本装着パネル２を商品見本収納空間２５内に配設している。
【００３８】
そのため、光源としての蛍光灯７から出た光は、後方側扉２６と商品見本装着パネル２の装着面２０１の隙間８を通って商品見本装着パネル２の裏面に回り込んだ後に、商品見本装着パネル２を裏面から照射する。従ってこれにより、商品見本装着パネル２に装着した商品見本缶５を光らせることが可能となる。
【００３９】
なお、前記商品見本装着パネル２は、樹脂製として一体成形するとよく、更にその成形の際に、凹凸による模様あるいは文字を多数箇所に形成することで強度を出すとよく、これにより、肉厚を薄くすることが可能となる。例えば、図１の例では、「コーヒー」の文字２０４を凸状の模様状に形成している。但し、必ずしも凹凸の模様、文字等を形成する必要はない。
【００４０】
また、本実施例の前記商品見本装着パネル２は、装着面２０１の左右側部分には、黒色系統の印刷を施しており、これにより、装着面２０１に装着した商品見本缶が均一に光るようにしている。即ち、本実施例では、前述したように、蛍光灯７から出た光は、後方側扉２６と商品見本装着パネル２の装着面２０１の隙間８を通って商品見本装着パネル２の裏面に回り込んだ後に、商品見本装着パネル２を裏面から照射するため、装着面２０１の中央部分に装着してある商品見本缶に比べて、装着面２０１の左右側に装着してある商品見本缶が明るくなりすぎる嫌いがある。そのため、このような事態を防止するために本実施例では、商品見本装着パネル２における装着面２０１の左右側部分に黒色系統の印刷を施し、これにより、装着面２０１に装着した商品見本缶が均一に光るようにしている。
【００４１】
次に、このように構成される本実施例の商品見本展示装置１の作用について説明すると、本実施例の商品見本展示装置では、商品見本収納空間２５内において、後方側扉２６との間に僅かな隙間８をあけた状態にして商品見本装着パネル２が配設されるため、本実施例の商品見本展示装置１を装備した自動販売機２１のフロント扉２３の商品見本収納空間２５内では、蛍光灯７から照射された光は、商品見本装着パネル２と後方側扉２６との間の隙間８に入り込んだ後に商品見本装着パネル２を裏面から照らし、これにより、商品見本装着パネル２に装着した商品見本缶４を光らせることができる。
【００４２】
そしてそのとき、本実施例の商品見本展示装置１では、商品見本装着パネル２の左右側の裏側に形成した光源収納部３に収納した合計２本の蛍光灯７のみで商品見本缶５を照らしているために、商品見本缶５の数にかかわらず、少ない光源で商品見本缶５を十分に光らせることが可能であり、それにより省エネにも貢献可能である。
【００４３】
また、商品見本装着パネル２を着脱自在にすることで、自動販売機のオーバーホールの際に、フロント扉内の商品見本収納空間内に本実施例の商品見本展示装置を装備することができる。
【００４４】
更に、商品見本装着パネル２を樹脂製により一体成形するとともに、凹凸による模様あるいは文字を任意の箇所に形成することで強度を出すことができ、それにより、肉厚を薄くすることが可能である。
【００４５】
更にまた、装着面２０１の左右側部分に黒色系統の印刷を施すことで、装着面２０１に装着した商品見本缶を均一に光らすことが可能となる。
【００４６】
なお、前述の説明では、商品見本装着パネル２における装着面２０１の左右側端部近傍２０２を正面側に向けて略円弧状に湾曲させて光源収納部３を形成し、この光源収納部３内に光源としての蛍光灯７を収納した形態を説明したが、光源の配設方法は必ずしもこの方法には限定されず、商品見本装着パネルと後方側扉との間に光源が配設されていればいずれの方法でも良い。
【００４７】
例えば、図８及び図９は、光源の配設方法の他の形態を説明するための図であり、図８は平面から示した断面図、図９は側面から示した断面図である。そして、図８及び図９に示す形態では、多数個の光源部を備えた平板状の光源を用いて、この光源を前記商品見本装着パネル２と後方側扉２６との間に挿装した構成としている。
【００４８】
即ち、図１０が、図８及び９に用いる光源１１を示す正面図であり、この光源１１は、樹脂の平板状とした基板１１０１を有しており、この基板１１０１上には、多数個の、光源部としてのＬＥＤが装着されている。
【００４９】
そして、図８及び９に示す形態では、このように構成される光源１１を、商品見本缶５が装着される後方側において、接着剤、テープ等を用いて前記後方側扉２６に接着しており、これにより、商品見本装着パネル２と後方側扉２６との間の隙間８に光源を配設している。そのため、この形態によると、ＬＥＤ１１０２の光が透光性の商品見本装着パネル２によって拡散し、ＬＥＤ特有の眩しさを軽減しつつ、商品見本缶の全体を均一に照ことが可能であるとともに、基板１１０１を備えているため、基板１１０１によってＬＥＤの熱を放出することが可能である。
【００５０】
なお、図８及び９に示す光源１１において、基板１１０１に装着する光源部１１０２は必ずしもＬＥＤを用いる必要もなく、商品見本装着パネル２と後方側扉２６との間の隙間８に配設可能なものであればいずれでも良い。従って、そのほか、有機ＥＬ、冷陰極管、細い蛍光灯等を光源部として用いてもよい。
【産業上の利用可能性】
【００５１】
本発明の商品見本展示装置は、少ない光源で商品見本を効果的に目立たせることができるため、商品見本を展示する自動販売機の全般に適用可能である。
【図面の簡単な説明】
【００５２】
【図１】本発明の商品見本展示装置の実施例を装備した自動販売機の一部を示す斜視図である。
【図２】本発明の商品見本展示装置の実施例を装備した自動販売機を平面から見た構造を示す一部断面図である。
【図３】本発明の商品見本展示装置の実施例を装備した自動販売機を側面から見た構造を示す一部断面図である。
【図４】本発明の商品見本展示装置の実施例に用いるサンプルステージを説明するための図である。
【図５】本発明の商品見本展示装置の実施例に用いるサンプルステージを説明するための図である。
【図６】本発明の商品見本展示装置の実施例に用いるサンプルステージを説明するための図である。
【図７】本発明の商品見本展示装置の実施例に用いる商品見本缶の他の形態を説明するための図である。
【図８】本発明の商品見本展示装置における光源の配設方法の他の形態を説明するための図である。
【図９】本発明の商品見本展示装置における光源の配設方法の他の形態を説明するための図である。
【図１０】本発明の商品見本展示装置における光源の配設方法の他の形態を説明するための図である。
【図１１】従来の商品見本缶展示方法を説明するための図である。
【図１２】従来の商品見本缶展示方法を説明するための図である。
【符号の説明】
【００５３】
１    商品見本展示装置
２    商品見本装着パネル
２０１    装着面
２０２    装着面の左右側端部
２０３    係止孔
２０４    凹凸模様
３    光源収納部
４    サンプルステージ
４０１    装着面
４０２    ストッパー面
４０３    切り欠き
４０４    係止部
５    商品見本缶
６    ピン部材
７    光源（蛍光灯）
８    商品見本装着パネルと後方側扉との間隙間
１１    光源
１１０１    基板
１１０２    光源部（ＬＥＤ）
２１    自動販売機
２２    本体部
２３    フロント扉
２４    フロント扉本体
２５    商品見本収納空間
２６    後方側扉
２７    フロント扉本体の窓部
２８    商品選択ボタン
【図１】
2010152689.tif 000003
【図２】
2010152689.tif 000004
【図３】
2010152689.tif 000005
【図４】
2010152689.tif 000006
【図５】
2010152689.tif 000007
【図６】
2010152689.tif 000008
【図７】
2010152689.tif 000009
【図８】
2010152689.tif 000010
【図９】
2010152689.tif 000011
【図１０】
2010152689.tif 000012
【図１１】
2010152689.tif 000013
【図１２】
2010152689.tif 000014